(57)【要約】      （修正有）【課題】薄く、実質的に平坦で柔軟な基盤を備えるシーピーアール（ＣＰＲ）センサー。【解決手段】該基盤は全てが該実質的に平坦で柔軟な基盤上に配置される１つ以上のセンサー配列、電源、出力インターフエース及びプロセサー又はアナログ回路を有する。該基盤はどんな形状（例えば、長方形、円形、多角形、装飾的な不規則形）であってもよく、ポリマー、金属フィルム又は他の適当な材料で作られる。該基盤は、柔軟な代わりに、堅いか、又は半ば柔軟であってよい。保護層が該センサー配列、該電源及び該プロセサー又はアナログ回路をカバーしてもよい。代わりに、該デバイスを内部に閉じ込むために保護カバリング（ｐｒｏｔｅｃｔｉｖｅ  ｃｏｖｅｒｉｎｇ）が使われてもよい。該１つ以上のセンサー配列は下記圧迫特性、すなわち、圧迫深さ、圧迫力、圧迫周波数及び圧迫加速度、の１つ以上を測定する。【選択図】図３
2008307362.tif 000002
【特許請求の範囲】
【請求項１】
心肺蘇生（シーピーアール）センサーに於いて、該センサーが  薄く、実質的に平坦で柔軟な基盤と、  該柔軟な基盤上に配置され、１つ以上の圧迫特性を測定する１つ以上のセンサー配列と、  該柔軟な基盤上に配置された出力インターフエースと、  該柔軟な基盤上に配置され、該１つ以上のセンサー配列及び該出力インターフエースに接続されたプロセサー又はアナログ回路と、そして  該柔軟な基盤上に配置され、該１つ以上のセンサー配列、該出力インターフエース及び該プロセサー又は該アナログ回路に接続された電源と、を具備することを特徴とする該シーピーアールセンサー。
【請求項２】
該柔軟な基盤がポリマー又は金属フィルムを備え、そして  該１つ以上の圧迫特性が深さ、力、周波数又は加速度を有することを特徴とする請求項１の該シーピーアールセンサー。
【請求項３】
更に、該センサー配列（複数を含む）、該プロセサー又は該アナログ回路、そして該電源をカバーする保護層を具備することを特徴とする請求項１の該シーピーアールセンサー。
【請求項４】
該センサー配列（複数を含む）が  １つ以上の加速度計と、そして  該加速度計（複数を含む）の周りに位置付けられた１つ以上の圧力センサーを備えることを特徴とする請求項１の該シーピーアールセンサー。
【請求項５】
該プロセサー又は該アナログ回路は、１つ以上の動作パラメーターが１つ以上のガイドライン内にあるかどうかを決定し、該動作パラメーターが該ガイドライン内にあるかどうかに関するフィードバックを該出力インターフエースを経由して提供し、そして  該１つ以上の動作パラメーターは印加圧力、加速度、胸部押し下げ量、押し下げ回数、開放動作回数、そして心電的活性又はそれらの組み合わせを有することを特徴とする請求項１の該シーピーアールセンサー。
【請求項６】
更に、該プロセサー又は該アナログ回路に接続され、該１つ以上のパラメーター、該フィードバック、該シーピーアールセンサーのステイタス、診断情報又はそれらの組み合わせを記憶するデータ記憶装置を具備することを特徴とする請求項５の該シーピーアールセンサー。
【請求項７】
該データ記憶装置がアールエフアイデータグ、磁気ストリップ、メモリー又はそれらの組み合わせを備えることを特徴とする請求項６の該シーピーアールサンサー。
【請求項８】
該基盤が柔軟な代わりに、堅いか、又は半ば柔軟であることを特徴とする請求項１の該シーピーアールセンサー。
【請求項９】
該センサー配列（複数を含む）が更に１つ以上の動作パラメーターを測定することを特徴とする請求項１の該シーピーアールセンサー。
【請求項１０】
該１つ以上の動作パラメーターがシーピーアール受け手との物理的接触、シーピーアール与え手との物理的接触、該シーピーアール受け手の温度、該シーピーアール受けての心拍、該シーピーアール受け手の脈拍又は該シーピーアール受け手の心電的活性を含むことを特徴とする請求項９の該シーピーアールセンサー。
【請求項１１】
該シーピーアール受け手が人間、動物又はマネキンであり、そして  該シーピーアール与え手が人間又は機械であることを特徴とする請求項１０の該シーピーアールセンサー。
【請求項１２】
該出力インターフエースが視覚的デイスプレー、スピーカー、マルチトーン発生器、通信インターフエース又はそれらの組み合わせであることを特徴とする請求項１の該シーピーアールセンサー。
【請求項１３】
該視覚的デイスプレーが、該シーピーアール与え手へのフィードバック、シーピーアールセンサーのステイタス、該シーピーアール受け手のステイタス又はそれらの組み合わせを提供する発光ダイオードのセット、液晶デイスプレー又はそれらの組み合わせを有することを特徴とする請求項１２の該シーピーアールセンサー。
【請求項１４】
該通信インターフエースが光学的通信インターフエース、赤外線通信インターフエース、無線通信トランシーバー、物理的通信ポート又はそれらの組み合わせを有することを特徴とする請求項１２の該シーピーアールセンサー。
【請求項１５】
該無線トランシーバーが能動的無線周波数認識タグ、受動的無線周波数認識タグ、セルラーホン、インターネット接続又はパーソナルデータアシスタントを有することを特徴とする請求項１４の該シーピーアールセンサー。
【請求項１６】
更に、  該柔軟な基盤上に配置され、該プロセサー又は該アナログ回路に接続された地理的ロケーターと、そして  該柔軟な基盤上に配置され、該プロセサー又は該アナログ回路に接続された通信インターフエースと、を具備しており、該プロセサー又は該アナログ回路は該シーピーアールセンサーのステイタス、該地理的ロケーターにより決定された該シーピーアールセンサーの位置、診断情報、該シーピーアール受け手のステイタス又はそれらの組み合わせを該通信インターフエースを経由して医療サービス提供者へ周期的に送信することを特徴とする請求項１の該シーピーアールセンサー。
【請求項１７】
該柔軟な基盤は該センサーの劣化無しに延ばされ、リンクルされ又は曲げられ得ることを特徴とする請求項１の該シーピーアールセンサー。
【請求項１８】
該シーピーアールセンサーが、マネキン、シーピーアール受け手、デバイス、ビジネスカード、クレディットカード、デビットカード、会員カード、運転免許証、認識カード、財布、衣服又は他の薄い携帯用ユーザーデバイスの中に一体化されるか、又はそれに取り付けられることを特徴とする請求項１の該シーピーアールセンサー。
【請求項１９】
該デバイスが、除細動器、電話、モバイル通信デバイス、セルラーホン、オーディオ及び／又はビデオデバイス又はパーソナルデータアシスタントを含むことを特徴とする請求項１８の該シーピーアールセンサー。
【請求項２０】
該シーピーアールセンサーが、面積及び厚さに於いて、クレディットカードに似て形作られることを特徴とする請求項１の該シーピーアールセンサー。
【請求項２１】
該電源がバッテリー、ソーラーパネル、圧迫時電圧発生用のピエゾ電気フイルム層、電磁的電圧発生器、エネルギーハーベスティングデバイス又はそれらの組み合わせを有することを特徴とする請求項１の該シーピーアールセンサー。
【請求項２２】
該バッテリーが取り換え可能又は再充電可能であることを特徴とする請求項２１の該シーピーアールセンサー。
【請求項２３】
該電源が  バッテリー、  圧迫時電圧発生用のピエゾ電気フイルム層又は他のエネルギーハーベスティング方法、及び  該バッテリーと、該圧迫時電圧発生用のピエゾ電気フイルム層と、での電力の消費と貯蔵とを管理する電力制御器、を備えることを特徴とする請求項１の該シーピーアールセンサー。
【請求項２４】
該シーピーアールセンサーが使い捨て可能であることを特徴とする請求項１の該シーピーアールセンサー。
【請求項２５】
更に、  該シーピーアールセンサーの後外面上に配置された接着剤層、及び  該接着剤層をカバーする除去可能な保護材料のシート、を具備することを特徴とする請求項１の該シーピーアールセンサー。
【請求項２６】
更に、該シーピーアールセンサーの外部又は内部に配置された磁気ストリップ、アールエフアイデータグ、無線通信デバイス又は他の情報保持デバイスを具備することを特徴とする請求項１の該シーピーアールセンサー。
【請求項２７】
心肺蘇生（シーピーアール）センサーに於いて、該センサーが  上部保護層と、  下部保護層と、そして  該上部保護層と該下部保護層の間に配置された薄く、実質的に平坦で柔軟なポリマーの又は薄い金属の、基盤と、  該基盤上に配置され、圧迫深さ、圧迫力、圧迫周波数及び圧迫加速度から成るグループから選択された１つ以上の圧迫特性を測定する、１つ以上のセンサー配列と、  該基盤上に配置された出力インターフエースと、  該基盤上に配置され、該センサー配列（複数を含む）及び該出力インターフエースに接続された、プロセサー又はアナログ回路と、そして  該基盤上に配置され、該プロセサー又は該アナログ回路に接続された電源と、を具備することを特徴とする該シーピーアールセンサー。
【請求項２８】
該上部保護層と該下部保護層が該基盤を内部に閉じ込めることを特徴とする請求項２７の該シーピーアールセンサー。
【請求項２９】
更に、該下部保護層と該基盤の間に配置されたエネルギー発生層を具備することを特徴とする請求項２７の該シーピーアールセンサー。
【請求項３０】
該センサー配列（複数を含む）が、  １つ以上の加速度計と、そして  該加速度計（複数を含む）の周りに位置付けられた１つ以上の圧力センサーと、を備えることを特徴とする請求項２７の該シーピーアールセンサー。
【請求項３１】
該プロセサー又は該アナログ回路が、１つ以上の動作パラメーターが１つ以上のガイドライン内にあるかどうかを決定し、該動作パラメーターが該ガイドライン内にあるかどうかに関するフィードバックを該出力インターフエースを経由し提供しており、そして  該１つ以上の動作パラメーターが印加された圧力、加速度、胸部押し下げ量、押し下げ数、開放動作回数、心電的活性又はそれらの組み合わせを含む、ことを特徴とする請求項２７の該シーピーアールセンサー。
【請求項３２】
更に、該プロセサー又は該アナログ回路に接続され、該１つ以上のパラメーター、該フィードバック、該シーピーアールセンサーのステイタス、診断情報又はそれらの組み合わせを記憶するデータ記憶装置を具備することを特徴とする請求項３１の該シーピーアールセンサー。
【請求項３３】
該データ記憶装置がアールエフアイデータグ、磁気ストリップ、メモリー又はそれらの組み合わせを備えることを特徴とする請求項３２の該シーピーアールセンサー。
【請求項３４】
該基盤が柔軟である代わりに堅い、又は半ば柔軟であることを特徴とする請求項２７の該シーピーアールセンサー。
【請求項３５】
該センサー配列（複数を含む）が更に、シーピーアール受け手との物理的接触、シーピーアール与え手との物理的接触、該シーピーアール受け手の温度、該シーピーアール受け手の心拍、該シーピーアール受け手の脈拍又は該シーピーアール受け手の心電的活性から成るグループから選択された１つ以上の動作パラメーターを測定することを特徴とする請求項２７の該シーピーアールセンサー。
【請求項３６】
該出力インターフエースが視覚的デイスプレー、スピーカー、マルチトーン発生器、通信インターフエース又はそれらの組み合わせを備えることを特徴とするシーピーアール２７の該シーピーアールセンサー。
【請求項３７】
該視覚的デイスプレーが、該シーピーアール与え手へのフィードバック、該シーピーアールセンサーのステイタス、該シーピーアール受け手のステイタス又はそれらの組み合わせを提供する発光ダイオードのセット、液晶デイスプレー又はそれらの組み合わせを有することを特徴とする請求項３６の該シーピーアールセンサー。
【請求項３８】
該通信インターフエースが光学的通信インターフエース、赤外線通信インターフエース、無線通信トランシーバー、物理的通信ポート又はそれらの組み合わせを有することを特徴とする請求項３６の該シーピーアールセンサー。
【請求項３９】
該無線トランシーバーが能動的無線周波数認識タグ、受動的無線周波数認識タグ、セルラーホン、インターネット接続又はパーソナルデータアシスタントを有することを特徴とする請求項３８の該シーピーアールセンサー。
【請求項４０】
更に、  該柔軟な基盤上に配置され、該プロセサー又は該アナログ回路に接続された地理的ロケーター、及び  該柔軟な基盤上に配置され、該プロセサー又は該アナログ回路に接続された通信インターフエースを具備しており、該プロセサー又は該アナログ回路は、該シーピーアールセンサーのステイタス、該地理的ロケーターにより決定される該シーピーアールセンサーの位置、診断情報、該シーピーアール受け手のステイタス又はそれらの組み合わせを、該通信インターフエースを経由して医療サービス提供者へ周期的に送信することを特徴とする請求項２７の該シーピーアールセンサー。
【請求項４１】
該柔軟な基盤は、該センサーの劣化無しに、延ばされ、リンクルされ又は曲げられ得ることを特徴とする請求項２７の該シーピーアールセンサー。
【請求項４２】
該シーピーアールセンサーがマネキン、シーピーアール受け手、デバイス、ビジネスカード、クレディットカード、デビットカード、会員カード、運転免許証、認識カード、財布、衣服又は他の薄い携帯可能なユーザーデバイスの中に一体化されるか又はそれに取り付けられることを特徴とする請求項２７の該シーピーアールセンサー。
【請求項４３】
該デバイスが、除細動器、電話、モバイル通信デバイス、セルラーホン、オーディオ及び／又はビデオデバイス又はパーソナルデータアシスタントを有することを特徴とする請求項４２の該シーピーアールセンサー。
【請求項４４】
該シーピーアールセンサーが、面積及び厚さで、クレディットカードに似て形作られることを特徴とする請求項２７の該シーピーアールセンサー。
【請求項４５】
該電源が、バッテリー、ソーラーパネル、圧迫時電圧発生用のピエゾ電気フィルム層、電磁的電圧発生器、エネルギーハーベスティングデバイス、又はそれらの組み合わせを有することを特徴とする請求項２７の該シーピーアールセンサー。
【請求項４６】
該バッテリーが取り替え可能又は再充電可能であることを特徴とする請求項４５の該シーピーアールセンサー。
【請求項４７】
該電源が、  バッテリー、  圧迫時電圧発生用のピエゾ電気フィルム層又は他のエネルギーハーベスティング方法、及び  該バッテリーと、該圧迫時電圧発生用のピエゾ電気フィルム層と、の電力の消費及び貯蔵を管理する電力制御器、を備えることを特徴とする請求項２７の該シーピーアールセンサー。
【請求項４８】
更に、  該シーピーアールセンサーの後外面上に配置された接着剤層、及び  該接着剤層をカバーする除去可能な保護材料のシート、を具備することを特徴とする請求項２７の該シーピーアールセンサー。
【請求項４９】
更に、該シーピーアールセンサーの外部又は内部に配置された磁気ストリップ、アールエフアイデータグ、無線通信デバイス又は他の情報保持デバイスを具備することを特徴とする請求項２７の該シーピーアールセンサー。
【請求項５０】
シーピーアールセンサーを製造する方法に於いて、該方法が、  シリコンウエーハをパシベートする過程と、  該ウエーハにポリイミド層を付加する過程と、  エムイーエムエスプロセスを用いて１つ以上のセンサー配列を創る過程と、を具備しており、該センサー配列（複数を含む）は圧迫深さ及び圧迫力を測定するのであり、該方法は又、  該個別ダイ／センサーを抽出するために該ウエーハをダイスする過程と、  柔軟な基盤上に回路をプリントする過程と、  該個別ダイ／センサーを受け、取り付けるために該柔軟な基盤にペースト又はエポキシを付ける過程と、  該柔軟な基盤上に該個別ダイ／センサーを置く過程と、  電気的相互接続部と、出力インターフエース、プロセサー又はアナログ回路及び電源と、を有する下部保護層上に該柔軟な基盤を置く過程と、  下部保護層に該柔軟な基盤を取り付ける過程と、  該シーピーアールセンサーの組み立てを完成するために該柔軟な基盤及び該下部保護層に対し上部保護層を置き、取り付ける過程、を具備することを特徴とする該方法。
【請求項５１】
更に、該シーピーアールセンサーをテストする過程を具備することを特徴とする請求項５０の該方法。
【発明の詳細な説明】
【技術分野】
【０００１】  本発明は一般的にセンサーの分野に関し、特に心肺蘇生センサー（ｃａｒｄｉｏｐｕｌｍｏｎａｒｙ  ｒｅｓｕｓｃｉｔａｔｉｏｎ  ｓｅｎｓｏｒ）に関する。
【背景技術】
【０００２】  心肺蘇生術（ｃａｒｄｉｏｐｕｌｍｏｎａｒｙ  ｒｅｓｕｓｃｉｔａｔｉｏｎ）｛シーピーアール（ＣＰＲ）｝は外部心臓マッサージ（ｅｘｔｅｒｎａｌ  ｃａｒｄｉａｃ  ｍａｓｓａｇｅ）及び人口呼吸（ａｒｔｉｆｉｃｉａｌ  ｒｅｓｐｉｒａｔｉｏｎ）から成る救急法（ｅｍｅｒｇｅｎｃｙ  ｐｒｏｃｅｄｕｒｅ）であり、それは卒倒（ｃｏｌｌａｐｓｅｄ）した、脈拍（ｐｕｌｓｅ）のない及び呼吸（ｂｒｅａｔｈｉｎｇ）を停止した人への最初の治療（ｆｉｒｓｔ  ｔｒｅａｔｍｅｎｔ）を構成する。シーピーアール治療は血液の循環（ｃｉｒｃｕｌａｔｉｏｎ  ｏｆ  ｔｈｅ  ｂｌｏｏｄ）を回復（ｒｅｓｔｏｒｅ）し、酸素欠乏（ｌａｃｋ  ｏｆ  ｏｘｙｇｅｎ）による死（ｄｅａｔｈ）又は脳損傷（ｂｒａｉｎ  ｄａｍａｇｅ）を防止する。卒倒の４分内の心臓停止（ｃａｒｄｉａｃ  ａｒｒｅｓｔ）からの生還（ｓｕｒｖｉｖａｌ）は主として急いだ除細動（ｄｅｆｉｂｒｉｌｌａｔｉｏｎ）に依存するが、その後ベースラインの少なくとも２５％の冠状動脈（ｃｏｒｏｎａｒｙ）及び大脳（ｃｅｒｅｂｒａｌ）の灌流（ｐｅｒｆｕｓｉｏｎ）は生還に必須である。病院の外でこれを行う唯一の実際的方法は毎分約１００回の割合で少なくとも４ｃｍの外部的胸部圧迫（ｅｘｔｅｒｎａｌ  ｃｈｅｓｔ  ｃｏｍｐｒｅｓｓｉｏｎｓ）を与えることによる。現在進んでいる広い研究は経験を積んだ救急医療サービス（ｅｘｐｅｒｉｅｎｃｅｄ  ｅｍｅｒｇｅｎｃｙ  ｍｅｄｉｃａｌ  ｓｅｒｖｉｃｅ）｛イーエムエス（ＥＭＳ）｝対応者（ｒｅｓｐｏｎｄｅｒ）の手により与えられた胸部圧迫は４０％の時間しか適切でなく、胸部圧迫の与えられない長い時間がある、ことを示した｛高い”ハンドオフ比（Ｈａｎｄ−ｏｆｆ  Ｒａｔｉｏ）”｝。素人の対応者（ｌａｙ  ｒｅｓｐｏｎｄｅｒ）の手による胸部圧迫投与（ｃｈｅｓｔ  ｃｏｍｐｒｅｓｓｉｏｎｓ  ｄｅｌｉｖｅｒｙ）が遙かにもっと不適切であると予期されることになる。【０００３】  シーピーアールで最も大きい心配の１つは素人の対応者又は職業的蘇生術士（ｐｒｏｆｅｓｓｉｏｎａｌ  ｒｅｓｕｓｃｉｔａｔｏｒ）へのフィードバックの欠如（ｌａｃｋ）である。シーピーアールの質、実時間フィードバック（ｒｅａｌ  ｔｉｍｅ  ｆｅｅｄｂａｃｋ）の救急者（ｒｅｓｃｕｅｒｓ）への影響（ｉｍｐａｃｔ）、胸部への印加力と最終圧迫深さの間の関係、及び改良されたシーピーアールの臨床結果（ｃｌｉｎｉｃａｌ  ｏｕｔｃｏｍｅｓ）、に関する研究者から流れる豊富なデータがある。特に、患者に投与された胸部圧迫の印加圧力、周波数及び深さの量はシ−ピーアールが成功するために適切な必要がある。有効な訓練とシミュレーションのマネキン（ｍａｎｉｋｉｎｓ）が存在するが、蘇生術士への実時間フィードバックを提供する小型で非侵襲性デバイス（ｎｏｎ−ｉｎｔｒｕｓｉｖｅ  ｄｅｖｉｃｅ）は存在しない。シーピーアール時のこの実時間フィードバックの欠如は、該シーピーアールの有効性を改良するために刺激（ｓｔｉｍｕｌｉ）（すなわち、胸部圧迫の印加圧力と周波数の量）を調整する能力を空しくする。【０００４】  従って、シーピーアール時に実の患者に投与される圧力を測定しアセスするために非侵襲性で、実時間で動作し（ｒｅａｌ−ｔｉｍｅ）、低廉で、容易に利用可能なフィードバックデバイスのニーヅがある。【非特許文献１】Ａ．Ｙａｒａｄａｎａｋｕｌ；Ｄ．Ｐ．Ｂｕｔｌｅｒ；Ｚ．Ｃｅｌｉｋ−Ｂｕｔｌｅｒ、Ｕｎｃｏｏｌｅｄ  Ｉｎｆｒａｒｅｄ  Ｍｉｃｒｏｂｏｌｏｍｅｔｅｒｓ  ｏｎ  ａ  Ｆｌｅｘｉｂｌｅ  Ｓｕｂｓｔｒａｔｅ、ＩＥＥＥ  Ｔｒａｎｓａｃｔｉｏｎｓ  ｏｎ  Ｅｌｅｃｔｒｏｎ  Ｄｅｖｉｃｅｓ、ｖｏｌ．４９、ｐｐ．９３０−９３３，２００２
【非特許文献２】Ａ．Ｙｉｌｄｉｚ；Ｚ．Ｃｅｌｉｋ−Ｂｕｔｌｅｒ；Ｄ．Ｐ．Ｂｕｔｌｅｒ，Ｍｉｃｒｏｂｏｌｏｍｅｔｅｒｓ  ｏｎ  ａ  Ｆｌｅｘｉｂｌｅ  Ｓｕｂｓｔｒａｔｅ  ｆｏｒ  Ｉｎｆｒａｒｅｄ  Ｄｅｔｃｔｉｏｎ、ＩＥＥＥ  Ｓｅｎｓｏｒｓ  Ｊｏｕｒｎａｌ、ｖｏｌ．４、ｐｐ．１１２−１１７（２００４）
【非特許文献３】Ａ．Ｍａｈｍｏｏｄ；Ｄ．Ｐ．Ｂｕｔｌｅｒ；Ｚ．Ｃｅｌｉｋ−Ｂｕｔｌｅｒ、Ｆｌｅｘｉｂｌｅ  Ｍｉｃｒｏｂｏｌｏｍｅｔｅｒｓ  Ｐｒｏｍｉｓｅ  Ｓｍａｒｔ  Ｆａｂｒｉｃｓ  ｗｉｔｈ  Ｉｍｂｅｄｄｅｄ  Ｓｅｎｓｏｒｓ、Ｌａｓｅｒ  Ｆｏｃｕｓ  Ｗｏｒｌｄ、ｐｐ．９９−１０３（Ａｐｒｉｌ  ２００４）
【非特許文献４】Ｓ．Ａ．Ｄａｙｅｈ；Ｄ．Ｐ．Ｂｕｔｌｅｒ；Ｚ．Ｃｅｌｉｋ−Ｂｕｔｌｅｒ、Ｍｉｃｒｏｍａｃｈｉｎｅｄ  Ｉｎｆｒａｒｅｄ  Ｂｏｌｏｍｅｔｅｒｓ  ｏｎ  Ｆｌｅｘｉｂｌｅ  Ｐｏｌｙｉｍｉｄｅ  Ｓｕｂｓｔｒａｔｅｓ、  Ｓｅｎｓｏｒｓ  ａｎｄ  Ａｃｔｕａｔｏｒｓ  ｖｏｌ．Ａ１１８、ｐｐ．４９−５６（２００５）
【非特許文献５】Ｖ．Ｓｈａｍａｎｎａ；Ｓ．Ｄａｓ；Ｚ．Ｃｅｌｉｋ−Ｂｕｔｌｅｒ；Ｄ．Ｐ．Ｂｕｔｌｅｒ；Ｋ．Ｌ．Ｌａｗｒｅｎｃｅ、Ｍｉｃｒｏｍａｃｈｉｎｅｄ  Ｉｎｔｅｇｒａｔｅｄ  Ｐｒｅｓｓｕｒｅ−Ｔｈｅｒｍａｌ  Ｓｅｎｓｏｒｓ  ｏｎ  Ｆｌｅｘｉｂｌｅ  Ｓｕｂｓｔｒａｔｅｓ、Ｊｏｕｒｎａｌ  ｏｆ  Ｍｉｃｒｏｍｅｃｈａｎｉｃｓ  ａｎｄ  Ｍｉｃｒｏｅｎｇｉｎｅｅｒｉｎｇ  ｖｏｌ．１６，１９８４−１９９２（２００６）
【非特許文献６】Ａ．Ｍａｈｍｏｏｄ；Ｚ．Ｃｅｌｉｋ−Ｂｕｔｌｅｒ；Ｄ．Ｂｕｔｌｅｒ、  Ｍｉｃｒｏｍａｃｈｉｅｄ  Ｂｏｌｏｍｅｔｅｒｓ  ｏｎ  Ｐｏｌｙｉｍｉｄｅ、Ｓｅｎｓｏｒｓ  ａｎｄ  Ａｃｔｕａｔｏｒｓ  Ａ，ｖｏｌ．１３２，ｐｐ．４５２−４５９（２００６）
【非特許文献７】Ｚ．Ｃｅｌｉｋ−Ｂｕｔｌｅｒ；Ｄ．Ｐ．Ｂｕｔｌｅｒ、Ｆｌｅｘｉｂｌｅ  Ｓｅｎｓｏｒｓ：ａ  Ｒｅｖｉｅｗ、Ｊ．Ｎａｎｏｅｌｅｃｔｒｏｎｉｃｓ  ａｎｄ  Ｏｐｔｏｅｌｅｃｔｒｏｎｉｃｓ、Ｖｏｌ．１，ｐｐ．１９４−２０２（２００６）
【非特許文献８】Ｓｍａｒｔ  Ｓｋｉｎ、Ｍｉｄ−Ｃｉｔｉｅｓ  Ｔｅｃｈｎｉｃａｌ  Ｃｌｕｂ  Ｍｅｅｔｉｎｇ、Ａｒｌｉｎｇｔｏｎ，ＴＸ（Ｍａｒｃｈ  ３、２００４）
【非特許文献９】Ｓｍａｒｔ  Ｓｋｉｎ：Ｍｕｌｔｉｆｕｎｃｔｉｏｎａｌ  Ｓｅｎｓｏｒｙ  Ａｒｒａｙｓ  ｏｎ  Ｆｌｅｘｉｂｌｅ  Ｓｕｂｓｔｒａｔｅｓ、Ｓｔｒａｔｅｇｉｃ  Ｐａｒｔｎｅｒｓｈｉｐ  ｆｏｒ  Ｒｅｓｅａｒｃｈ  ｉｎ  Ｎａｎｏｔｅｃｈｎｏｌｏｇｙ（ＳＰＲＩＮＧ）Ｗｏｒｋｓｈｏｐ  １１，Ｕｎｉｖｅｒｓｉｔｙ  ｏｆ  Ｔｅｘａｓ  ａｔ  Ｄａｌｌａｓ（Ｎｏｖｅｍｂｅｒ  １２  ２００４）
【非特許文献１０】Ｓｍａｒｔ  Ｓｋｉｎ：Ｍｕｌｔｉｓｅｎｓｏｒｙ  Ａｒｒａｙ  ｏｎ  Ｆｌｅｘｉｂｌｅ  Ｓｕｂｓｔｒａｔｅｓ、Ｆｒｅｅｓｃａｌｅ  Ｓｅｍｉｃｏｎｄｕｃｔｏｒ  Ｃｏ．、Ｔｅｍｐｅ、ＡＺ（Ｊａｎｕａｒｙ  １２，２００６）
【非特許文献１１】Ｓｅｌｆ  Ｐａｃｋａｇｅｄ  Ｆｌｅｘｉｂｌｅ  Ｅｌｅｃｔｒｏｎｉｃｓ、ＩＥＥＥ−ＥＤＩＳ  Ｄｉｓｔｉｎｇｕｉｓｈｅｄ  Ｌｅｃｔｕｒｅ、Ｔｅｍｐｅ  ＡＺ（Ｊａｎｕａｒｙ  １２，２００６）
【非特許文献１２】Ｎａｎｏ−Ｂｉｏ  Ｉｎｔｅｒｆａｃｅ、ＢＩＯＤＦＷ  Ｒｅｇｉｏｎａｌ  Ａｌｌｉａｎｃｅ、Ｓｏｕｔｈｗｅｓｔｅｒｎ  Ｍｅｄｉｃａｌ  Ｃｅｎｔｅｒ、Ｄａｌｌａｓ、ＴＸ（Ａｐｒｉｌ  ２０，２００６）
【非特許文献１３】Ｓｅｌｆ−Ｐａｃｋａｇｅｄ  Ｆｌｅｘｉｂｌｅ  Ｅｌｅｃｔｒｏｎｉｃｓ、ＮａｎｏＴＸ、Ｄａｌｌａｓ  Ｃｏｎｖｅｎｔｉｏｎ  Ｃｅｎｔｅｒ、Ｄａｌｌａｓ  ＴＸ（Ｓｅｐｔｅｍｂｅｒ  ２８、２００６）
【発明の開示】
【０００５】  本発明は、容易に利用可能で容易に携帯可能であり、自己充足的（ｓｅｌｆ−ｃｏｎｔａｉｎｅｄ）で無線式で、自己給電式（ｓｅｌｆ−ｐｏｗｅｒｅｄ）で、半ば柔軟で、簡便でそして最小の教示で使い易いようコンパクトで薄型であり、シーピーアール蘇生術士又は与え手（ＣＰＲ  ｒｅｓｕｓｃｉｔａｔｏｒ  ｏｒ  ｐｒｏｖｉｄｅｒ）に実時間フィードバックをもたらす、シーピーアールセンサーを提供する。更に、本発明は、生存の鎖（Ｃｈａｉｎ  ｏｆ  Ｓｕｒｖｉｖａｌ）内の第２のリンク−速くて有効なシーピーアール−を強化する、素人（ｌａｙｐｅｒｓｏｎｓ）及び専門家（ｐｒｏｆｅｓｓｉｏｎａｌｓ）により投与されるシーピーアールの有効性に直接影響し、かくして緊急状態の死の危険（ｆａｔａｌｉｔｙ  ｒｉｓｋ）を可能性の面で減じる。緊急時に速く配置され得るよう、財布又は他の個人的持ち物（ｐｅｒｓｏｎａｌ  ｂｅｌｏｎｇｉｎｇ）又は衣服内で容易に持ち運べる本シーピーアールセンサーはシーピーアール与え手（ＣＰＲ  ｐｒｏｖｉｄｅｒ）に胸部圧迫が行われる時その特性を知らせる。加えて、該シーピーアールセンサーはシーピーアール中にヘルパーの手の速く、正しい位置付けを可能にし、はっきりした、簡潔なフィードバックを提供する。
【０００６】  例えば、本発明のシーピーアールセンサーの第１実施例は薄く、実質的に平坦で柔軟な基盤（ｓｕｂｓｔｒａｔｅ）（例えば、ポリマー、金属フイルム、他）を備え、該基盤は１つ以上のセンサー配列（ｓｅｎｓｏｒ  ａｒｒａｙｓ）、電源（ｐｏｗｅｒ  ｓｏｕｒｃｅ）、出力インターフエース（ｏｕｔｐｕｔ  ｉｎｔｅｒｆａｃｅ）及びプロセサー又はアナログ回路を有するが、それらの全部は該実質的に平坦で柔軟な基盤上に配置される。該基盤はどんな形状｛例えば、長方形、円形、多角形、装飾的な不規則形状（ｉｒｒｅｇｕｌａｒ  ｓｈａｐｅ  ｔｈｅｔ  ｉｓ  ｄｅｃｏｒａｔｉｖｅ）｝を有してもよく、ポリマー、金属フイルム又は他の適当な材料で作られてもよい。該基盤が柔軟な代わりに堅い（ｒｉｇｉｄ）か又は半ば柔軟（ｓｅｍｉ−ｆｌｅｘｉｂｌｅ）でもよい。保護層（ｐｒｏｔｅｃｔｉｖｅ  ｌａｙｅｒ）が該センサー配列及び電源をカバーしてもよい。代わりに、保護のカバー作用は該デバイスを内部閉じ込め（ｅｎｃａｐｓｕｌａｔｅ）のため使われてもよい。該１つ以上のセンサー配列は１つ以上の圧迫特性（例えば、深さ、力、周波数、加速度、他）を測定する。
【０００７】  同様に、本発明のシーピーアールセンサーの第２実施例は薄く、実質的に平坦で柔軟な基盤（例えば、ポリマー、金属フイルム、他）を備え、該基盤は１つ以上のセンサー配列、プロセサー又はアナログ回路、電源、通信インターフエース、地理的ロケーター（ｇｅｏｇｒａｐｈｉｃ  ｌｏｃａｔｏｒ）｛例えば、ジーピーエス（ＧＰＳ）受信器、無線通信デバイス又は他の無線ロケーションデバイス（ｗｉｒｅｌｅｓｓ  ｌｏｃａｔｉｏｎ  ｄｅｖｉｃｅ）｝、出力インターフエース及びデータ記憶装置（ｄａｔａ  ｓｔｏｒａｇｅ）を有するが、それらの全部は該実質的に平坦で柔軟な基盤上に配置される。保護層が該センサー配列、プロセサー又はアナログ回路、電源、通信インターフエース、地理的ロケーター、出力インターフエース及びデータ記憶装置をカバーする。代わりに、保護的カバー作用が該デバイスを内部に閉じ込めるため使われてもよい。該１つ以上のセンサーは、１つ以上の圧迫特性（例えば、深さ、力、周波数、加速度、他）及び１つ以上の動作パラメーター（ｏｐｅｒａｔｉｏｎａｌ  ｐａｒａｍｅｔｅｒｓ）｛例えば、シーピーアール受け手との物理的接触、シーピーアール与え手との物理的接触、該シーピーアール受け手の温度、該シーピーアール受け手の心拍（ｈｅａｒｔｂｅａｔ）、該シーピーアール受け手の脈拍（ｐｕｌｓｅ）、該シーピーアール受け手の心電的活性（ｃａｒｄｉａｃ  ｅｌｅｃｔｒｉｃａｌ  ａｃｔｉｖｉｔｙ）、他｝を測定する。該プロセサー又はアナログ回路は、該センサー配列、電源、通信インターフエース、地理的ロケーター、出力インターフエース及びデータ記憶装置に接続される。
【０００８】  本発明のシーピーアールセンサーの第３実施例は上部保護層（ｕｐｐｅｒ  ｐｒｏｔｅｃｔｉｖｅ  ｌａｙｅｒ）、下部保護層（ｌｏｗｅｒ  ｐｒｏｔｅｃｔｉｖｅ  ｌａｙｅｒ）及び該上部保護層と該下部保護層の間に配置された薄く、実質的に平坦で柔軟な基盤（例えば、ポリマー、金属フイルム、他）を有する。加えて、１つ以上のセンサー配列、プロセサー又はアナログ回路、電源及び出力インターフエースが該柔軟な基盤上に配置される。該１つ以上のセンサー配列は１つ以上の圧迫特性（例えば、深さ、力、周波数、加速度、他）を測定する。該プロセサー又はアナログ回路は該センサー配列、出力インターフエース及び電源に接続される。
【０００９】  本発明のシーピーアールセンサーの第４実施例はクレディットカード（ｃｒｅｄｉｔ  ｃａｒｄ）、デビットカード（ｂｅｂｉｔ  ｃａｒｄ）、認識カード（ｉｄｅｎｔｉｆｉｃａｔｉｏｎ  ｃａｒｄ）又は運転者免許証（ｄｒｉｖｅｒ’ｓ  ｌｉｃｅｎｓｅ）の中に、閉じ込められるか、一体化される前に説明された実施例の何れかを有する。
【００１０】  本発明のシーピーアールセンサーの第５実施例はセルラーホン（ｃｅｌｌｕｌａｒ  ｐｈｏｎｅ）、パーソナルデータアシスタント（ｐｅｒｓｏｎａｌ  ｄａｔａ  ａｓｓｉｓｔａｎｔ）、オーディオ及び／又はビデオ再生（ｐｌａｙｂａｃｋ）デバイス又は同様に人により運ばれる他のデバイス、の中に一体化されるか、又はそれらに取り付けられる。
【００１１】  加えて、本発明はシーピーアールセンサーを製造する方法を提供するが、それは下記過程、すなわち、シリコンウエーハ（ｓｉｌｉｃｏｎ  ｗａｆｅｒ）をパッシベート（ｐａｓｓｉｖａｔｉｎｇ）する過程、該ウエーハにポリイミド層（ｐｏｌｙｉｍｉｄｅ  ｌａｙｅｒ）を付加する過程、エムイーエムエスプロセス（ＭＥＭＳ  ｐｒｏｃｅｓｓ）を使って１つ以上のセンサー配列を創るが該センサー配列（複数を含む）は１つ以上の圧迫特性（例えば、深さ、力、周波数、加速度、他）を測定するよう、該創る過程、個別ダイ（ｄｉｅｓ）／センサーを抽出（ｅｘｔｒａｃｔ）するよう該ウエーハをダイス（ｄｉｃｉｎｇ）する過程、柔軟な基盤上に回路をプリントする過程、個別のダイ／センサーを受け、取り付ける（ｓｅｃｕｒｅ）よう該柔軟な基盤にペースト（ｐａｓｔｅ）又はエポキシ（ｅｐｏｘｉ）を付ける過程、該個別のダイ／センサーを該柔軟な基盤上に置く過程、電気的相互接続部（ｅｌｅｃｔｒｉｃａｌ  ｉｎｔｅｒｃｏｎｎｅｃｔｓ）と出力インターフエース、プロセサー又はアナログ回路及び電源を有する下部保護層上に該柔軟な基盤を置く過程、該柔軟な基盤を該下部保護層に取り付ける過程、該シーピーアールセンサーの組立を完了するために該柔軟な基盤及び該下部保護層に上部保護層を置き、取り付ける過程、を行うことに依る。
【００１２】  本発明は附属する図面を参照して下記で詳細に説明される。
【実施例１】
【００１３】  下記で本発明の種々の実施例の製法及び使用法が論じられるが、本発明が、幅広い種類の特定の文脈で具体化され得る多数の応用可能な発明概念を提供することは評価されるべきである。ここで論じられる特定の実施例は、本発明品を作り、使う特定の方法を単に図解するのみであり、本発明の範囲を定める（ｄｅｌｉｍｉｔ）ものではない。ここでの論議は主としてシーピーアールセンサーに関するが、本発明の概念は何等かの薄い形式の圧力、力、周波数及び／又は加速度のセンサーにも適用可能であることは理解されるだろう。【００１４】  米国赤十字（Ａｍｅｒｉｃａｎ  Ｒｅｄ  Ｃｒｏｓｓ）及びアメリカンハートアソシエーション（Ａｍｅｒｉｃａｎ  ｈｅａｒｔ  ａｓｓｏｃｉａｔｉｏｎ）により協同開発された応急手当（Ｆｉｒｓｔ  Ａｉｄ）の新ガイドラインのみならずアメリカンハートアソシエーションのシーピーアールガイドライン（ＣＰＲ  Ｇｕｉｄｅｌｉｎｅｓ）も２００５年１１月２８日にリリースされた。これらのガイドラインに依れば、胸部は毎分１００回の速度で連続３０回、両乳間を少なくとも４ｃｍ押し下げ、開放され、それに２回の呼吸（ｂｒｅａｔｈｓ）が続く必要がある。この手順は繰り返される。本発明は、それにより該シーピーアールが該胸部に投与され、それから胸部押し下げ（ｄｅｐｒｅｓｓｉｏｎｓ）が計算される、印加圧力と加速度を測定する。加えて、押し下げと開放（ｒｅｌｅａｓｅｓ）の動作の回数が数えられるべきである。もし該手順が仕様に従うなら、対応者に視覚的及び／又はオーディオのフィードバックが提供される。該手順と有効性もストリップ上に記録され、後日ダウンロードされ、解析される。【００１５】  該シーピーアールセンサーは、個別の力及び／又は圧力、加速度のセンサー、給電源（ｐｏｗｅｒｉｎｇ  ｓｏｕｒｃｅ）｛調整及び貯蔵電子機器付きのバッテリー又はエネルギーハーベスティング（ｂａｔｔｅｒｙ  ｏｒ  ｅｎｅｒｅｇｙ  ｈａｒｖｅｓｔｉｎｇ  ｗｉｔｈ  ｃｏｎｄｉｔｉｏｎｉｎｇ  ａｎｄ  ｓｔｏｒａｇｅ  ｅｌｅｃｔｒｏｎｉｃｓ）｝、偏倚回路（ｂｉａｓｉｎｇ  ｃｉｒｃｕｉｔｒｙ）、読み出し回路（ｒｅａｄ−ｏｕｔ  ｃｉｒｃｕｉｔｒｙ）及び必要な電気的接続部の、低コストで、非常にコンパクトな組立体である。個別センサーは従来の柔軟でない基盤（シリコン）上に作られる。これらの個別センサーは次いでフレキシブルプリント回路（ｆｌｅｘｉｂｌｅ  ｐｒｉｎｔｅｄ  ｃｉｒｃｕｉｔ）又は堅いカード（ｒｉｇｉｄ  ｃａｒｄ）上に置かれる。該シーピーアールセンサーは携帯用緊急除細動器（ｐｏｒｔａｂｌｅ  ｅｍｅｒｇｅｎｃｙ  ｄｅｆｉｂｒｉｌｌａｔｏｒ  ｅｑｕｉｐｍｅｎｔ）内に組み込まれるか又はスタンドアロンで使われてもよい。該シーピーアールセンサーの市場は全ての家庭であり、或いは”スマートカード（Ｓｍａｒｔ  Ｃａｒｄ）”、クレディットカード又は他の形式の部品として種々の形式で緊急用に彼／彼女のポケット内にストリップを担う全ての成人（ａｄｕｌｔ  ｐｅｒｓｏｎ）さえも有している。その革命的小型寸法と低コストのために、それは財布、ポケットの部品又は何等かの衣服の部品として製造され得る。学校、空港、職場（ｗｏｒｋ−ｐｌａｃ���ｓ）の様な公共の場所用に、使い捨て版が緊急機器と共に貯蔵され得る。柔軟な、使い捨て版は必要時、除去可能なストリップとして公共電話、セルホン、地上線家庭電話に組み込まれる。シーピーアールセンサーは、マネキンが使われるシーピーアール訓練クラス内に組み込まれる。加えて、それは健康専門家用の教育及び訓練クラスで使われ得る。【００１６】  本発明は、容易に利用可能で容易に携帯可能であり、自己充足的で無線式で、自己給電式で、半ば柔軟で、最小の教示で使い易いようコンパクトで薄型であり、そしてシーピーアール蘇生術士又は与え手に実時間フィードバックをもたらすシーピーアールセンサーを提供する。更に、本発明は、生存の鎖内の第２リンク−速く有効なシーピーアール−を強化する、素人及び専門家により投与されるシーピーアールの有効性に直接影響し、かくして緊急状況の死の危険を可能性の面で減じる。緊急時に速く配置され得るよう、財布又は個人的持ち物又は衣服内で容易に持ち運べる本シーピーアールセンサーは該シーピーアール与え手に胸部圧迫が行われる時その特性を知らせる。加えて、該シーピーアールセンサーはシーピーアール中にヘルパーの手の速く、正しい位置付けを可能にし、はっきりした、簡潔なフィードバックを提供する。【００１７】  今図１を参照すると、本発明の第１実施例のシーピーアールセンサー１００のブロック線図が示されている。該シーピーアールセンサー１００は薄く、実質的に平坦で柔軟な基盤１０２を備えるが、該基盤はその全部が該実質的に平坦で柔軟な基盤１０２上に配置された１つ以上のセンサー配列（ｓｅｎｓｏｒ  ａｒｒａｙｓ）１０４，電源１０６及び出力インターフエース１０８を有する。該基盤１０２はどんな形状でもよく（例えば、長方形、円形、多角形、装飾的な不規則形状）、ポリマー、金属フイルム又は他の適当な材料で作られる。該基盤１０２は柔軟な代わりに堅いか又は半ば柔軟（ｓｅｍｉ−ｆｌｅｘｉｂｌｅ）であってもよい。もし該基盤１０２が柔軟か又は半ば柔軟なら、それは、センサー１０４の劣化（ｄｅｇｒａｄａｔｉｏｎ）無しに、延ばされ（ｓｔｒｅｔｃｈｅｄ）、リンクル（ｗｒｉｎｋｌｅｄ）され、或いは曲げられ（ｆｌｅｘｅｄ）得るべきである。該１つ以上のセンサー配列１０４は１つ以上の圧迫特性（例えば、深さ、力、周波数、加速度、他）を測定する。該センサー配列１０４と出力インターフエース１０８は電源１０６に接続される。【００１８】  該センサー配列１０４及び／又は出力インターフエース１０８内部の、又はその外部のプロセサー又はアナログ回路又は論理回路（ｌｏｇｉｃ  ｃｉｒｃｕｉｔ）は、１つ以上の動作パラメーター（ｏｐｅｒａｔｉｏｎａｌ  ｐａｒａｍｅｔｅｒｓ）が１つ以上のガイドライン内にあるかどうかを決定するが、それは該動作パラメーターが該ガイドライン内にあるかどうかを示すフィードバックを該出力インターフエース１０８を経由して該シーピーアール与え手に提供するためである。該１つ以上の動作パラメーターは、印加圧力、加速度、胸部押し下げ量（ｃｈｅｓｔ  ｄｅｐｒｅｓｓｉｏｎ）、押し下げ回数、開放動作回数（ｎｕｍｂｅｒ  ｏｆ  ｒｅｌｅａｓｅ  ａｃｔｉｏｎｓ）、心電的活性（ｃａｒｄｉａｃ  ｅｌｅｃｔｒｉｃａｌ  ａｃｔｉｖｉｔｙ）又はそれらの組み合わせを含む。該１つ以上のセンサー１０４は又、シーピーアール受け手の心拍、脈拍又は心電的活性、シーピーアール受け手との物理的接触、シーピーアール与え手との物理的接触又はシーピーアール受け手の温度を検出する。該シーピーアール受け手は人間、動物（ａｎｉｍａｌ）又はマネキンであってもよい。該シーピーアール与え手は人間又は機械であってもよい。該出力インターフエース１０８は視覚的デイスプレー（例えば、発光ダイオード、液晶デイスプレー又は他の当業者の公知の視覚的デイスプレー）、スピーカー、マルチトーン発生器（ｍｕｌｔｉ−ｔｏｎｅ  ｇｅｎｅｒａｔｏｒ）、通信インターフエース又はそれらの組み合わせであってもよい。該視覚的デイスプレーはシーピーアール与え手へのフィードバック、該シーピーアールセンサーのステイタス、該シーピーアール受け手のステイタス又はそれらの組み合わせを提供する１セットの発光ダイオードとすることが出来る。【００１９】  電源１０６は、バッテリー、ソーラーパネル（ｓｏｌａｒ  ｐａｎｅｌ）、圧迫時の電圧発生用のピエゾ電気フイルムの層又は何等かの種類のエネルギーハーベスティング技術（ｅｎｅｒｇｙ  ｈａｒｖｅｓｔｉｎｇ  ｔｅｃｈｎｏｌｏｇｙ）、心電的電圧発生器（ｃａｒｄｉａｃ  ｅｌｅｃｔｒｉｃａｌ  ｖｏｌｔａｇｅ  ｇｅｎｅｒａｔｏｒ）又はそれらの組み合わせでもよい。バッテリー１０６がそれが取り替え可能又は再充電可能なように、該柔軟な基盤１０２上に配置され得ることに注目されたい。該電源１０６は又バッテリーと、該バッテリー及び圧迫時の電圧発生用のピエゾ電気フイルムの層又は他のエネルギーハーベスティング方法に於ける電力消費と貯蔵を管理する電力制御器と、に接続された電圧発生器の１つと一緒の、組み合わせでもよい。【００２０】  保護層（示されてない）がセンサー配列１０４と電源１０８をカバーする。窓すなわち透明保護層（ｃｌｅａｒ  ｐｒｏｔｅｃｔｉｖｅ  ｌａｙｅｒ）が出力インターフエース１０８を保護するよう使われ得るが、それでもなお該出力インターフエース１０８がデータ、信号、指示（ｉｎｄｉｃａｔｉｏｎ）及び視覚的及び／又はオーディオの信号を提供することを可能にする。代わりに、保護カバー作用は該デバイス１００を内部に閉じ込める（ｅｎｃａｐｓｕｌａｔｅ）ために使われてもよい。【００２１】  シーピーアールセンサー１００はマネキン、デバイス、ビジネスカード、クレディットカード、デビットカード、会員カード（ｍｅｍｂｅｒｓｈｉｐ  ｃａｒｄ）、運転免許証、認識カード、財布、衣服、又は他の薄いユーザーデバイス、内に一体化されるか又はそれに取り付けられてもよい。該デバイスは除細動器、セルラーホン、自動車通信デバイス、パーソナルデータアシスタント、オーディオ及び／又はビデオ再生デバイス又は他の人間により担われそうなデバイスであってもよい。該シーピーアールセンサー１００は又、この様なデバイスの再使用（ｒｅｕｓｅ）を許されない場合での医療サービス提供者による使用では、使い捨て可能とすることが出来る。該シーピーアールセンサー１００は、該シーピーアールセンサー１００が患者又はマネキン上の位置��１時的に留まるよう、該シーピーアールセンサー１００の後部外面上に配置された接着剤層と該接着剤層をカバーする除去可能な保護材料のシートと、を有してもよい。【００２２】  今、図２を参照すると、本発明の１実施例の圧迫深さ、圧迫力、圧迫周波数及び／又は圧迫加速度を測定するセンサー配列１０４のブロック線図が示される。該センサー配列１０４は１つ以上の加速度計２００と、該加速度計２００の周りに位置付けられた１つ以上の圧力センサー２０２と、を有する。個別センサーの他の配置法と個数が使われてもよい。【００２３】  今、図３を参照すると、本発明の第２実施例のシーピーアールセンサー３００のブロック線図が示されている。該シーピーアールセンサー３００は薄く、実質的に平坦で柔軟な基盤１０２を備え、該基盤はその全てが該実質的に平坦で柔軟な基盤１０２上に配置された、１つ以上のセンサー配列３０２、プロセサー又はアナログ回路３０４、電源１０６、通信インターフエース３０６、地理的ロケーター３０８、出力インターフエース１０８及びデータ記憶装置３１０を有する。該基盤１０２はどんな形状（例えば、長方形、円形、多角形、装飾的な不規則形）であってもよく、ポリマー、金属フイルム又は他の適当な材料で作られる。該基盤１０２が柔軟な代わりに、堅いか、又は半ば柔軟であってもよい。もし該基盤１０２が柔軟であるか、又は半ば柔軟であるなら、それは該センサー３０２の劣化無しに、延ばされたり、リンクルされたり、又は曲げられたりすることが出来るべきである。地理的ロケーターはジーピーエス受信器、無線通信デバイス、又は他の無線ロケーションデバイス（ｏｔｈｅｒ  ｗｉｒｅｌｅｓｓ  ｌｏｃａｔｉｏｎ  ｄｅｖｉｃｅ）であってもよい。保護層（示されてない）が該センサー配列３０２，プロセサー又はアナログ回路３０４，電源１０６，通信インターフエース３０６，地理的ロケーター３０８，出力インターフエース１０８及びデータ記憶装置３１０をカバーする。窓又は透明な保護層が（必要ならば）該出力インターフエース１０８と通信インターフエース３０６を保護するために使われ得るが、なおそれでも該出力インターフエース１０８及び／又は通信インターフエース３０６が適切で、意図された様に動作することを可能にする。代わりに、保護カバー作用が該デバイス３００を内部に閉じ込むために使われてもよい。該１つ以上のセンサー配列３０２は、１つ以上の圧迫特性（例えば、深さ、力、周波数、加速度、他）と１つ以上の動作パラメーター（例えば、シーピーアール受け手との物理的接触、シーピーアール与え手との物理的接触、該シーピーアール受け手の温度、該シーピーアール受け手の心拍、該シーピーアール受け手の脈拍、該シーピーアール受け手の心電的活性、他）を測定する。該プロセサー又はアナログ回路３０４は、該センサー配列３０２，電源１０６，通信インターフエース３０６，地理的ロケーター３０８、出力インターフエース１０８及びデータ記憶装置３１０に接続される。該センサー配列３０２，通信インターフエース３０６，地理的ロケーター３０８，出力インターフエース１０８及びデータ記憶装置３１０は又電源１０６へ接続される。【００２４】  該プロセサー又はアナログ回��３０４は、１つ以上の動作パラメーターが１つ以上のガイドライン内にあるかどうかを決定するが、それは該動作パラメーターが該ガイドライン内にあるかどうか示すフィードバックを該出力インターフエース１０８経由で該シーピーアール与え手に提供するためである。該１つ以上の動作パラメーターは、印加された圧力、加速度、胸部押し下げ量、押し下げ回数、開放動作回数、心電的活性又はそれらの組合わせを有してもよい。該シーピーアール受け手（ＣＰＲ  ｒｅｃｉｐｉｅｎｔ）は人間、動物又はマネキンでもよい。該シーピーアール与え手（ＣＰＲ  ｐｒｏｖｉｄｅｒ）は人間又は機械であってもよい。該出力インターフエース１０８は、視覚的デイスプレー（例えば、発光ダイオード、液晶デイスプレー又は当業者に公知の他の視覚的デイスプレー）、スピーカー、マルチトーン発生器、通信インターフエース又はそれらの組み合わせとすることが出来る。該視覚的デイスプレーは該シーピーアール与え手へのフィードバック、シーピーアールセンサーのステイタス、該シーピーアール受け手のステイタス又はそれらの組み合わせを提供する発光ダイオードのセットとすることが出来る。該視覚的デイスプレーは又、該与え手と他のサポート員（ｓｕｐｐｏｅｒｔ  ｐｅｒｓｏｎｎｅｌ）との間の相互無線通信を提供する液晶／ブラウン管の様なデイスプレー（ＬＣＤ／ＣＲＴ−ｌｉｋｅ  ｄｉｓｐｌａｙ）とすることが出来る。【００２５】  該通信インターフエース３０６は光学的通信インターフエース、赤外線通信インターフエース、無線通信トランシーバー、物理的通信ポート又はそれらの組み合わせであってもよい。該無線トランシーバーはセルラーホン、インターネット通信、パーソナルデータアシスタント｛ピーデーエイ（ＰＤＡ）｝、能動的無線周波数認識タグ（ａｃｔｉｖｅ  ｒａｄｉｏ  ｆｒｅｑｕｅｎｃｙ  ｉｄｅｎｔｉｆｉｃａｔｉｏｎ  ｔａｇ）、受動的無線周波数認識タグ（ｐａｓｓｉｖｅ  ｒａｄｉｏ  ｆｒｅｑｕｅｎｃｙ  ｉｄｅｎｔｉｆｉｃａｔｉｏｎ  ｔａｇ）、他であってもよい。地理的ロケーター３０８（例えば、ジーピーエス受信器、無線通信デバイス、他）が該シーピーアールセンサー３００の位置を決定するため使われる。該プロセサー又はアナログ回路３０４は該シーピーアールセンサー３００のステイタス、該シーピーアールセンサー３００の位置、診断情報、該シーピーアール受け手のステイタス又はそれらの組み合わせを該通信インターフエース３０６を経由して医療サービス提供者（ｍｅｄｉｃａｌ  ｓｅｒｖｉｃｅ  ｐｒｏｖｉｄｅｒ）へ周期的に送信出来る。該プロセサー又はアナログ回路３０４は医療サービス提供者から該通信インターフエース３０６を経由して教示（ｉｎｓｔｒｕｃｔｉｏｎｓ）を受けることが出来る。該データ記憶装置３１０は該１つ以上のパラメーター、該フィードバック、該シーピーアールセンサーのステイタス、診断情報又はそれらの組み合わせを記憶するため使われる。該データ記憶装置３１０はアールエフアイデータグ（ＲＦＩＤ  ｔａｇ）、磁気ストリップ（ｍａｇｎｅｔｉｃ  ｓｔｒｉｐ）、メモリー又はそれらの組み合わせとすることが出来る。【００２６】  該電源１０６はバッテリー、ソーラーパネル、圧迫時電圧��生用ピエゾ電気フイルム層、電磁的電圧発生器又はそれらの組み合わせである。該バッテリー１０６が、置き換え可能又は再充電可能なように、該柔軟な基盤１０２上に配置され得ることを注意すべきである。該電源１０６は又、バッテリーと、該バッテリー及び圧迫時電圧発生用の該ピエゾ電気フイルム層又は他のエネルギーハーベスティング方法内の電力消費と貯蔵を管理する電力制御器に接続された電圧発生器の１つとの一緒の組み合わせであってもよい。【００２７】  該シーピーアールセンサー３００は、マネキン、デバイス、ビジネスカード、クレディットカード、デビットカード、会員カード、運転免許証、認識カード、財布、衣服又は他の薄い携帯可能なユーザーデバイス、の中に一体化されるか、又はそれに取り付けられてもよい。該デバイスは除細動器、電話、モバイル通信デバイス又はパーソナルデータアシスタントであってもよい。該シーピーアールセンサー３００は又、この様なデバイスの再使用を許されない場合の医療サービス提供者による使用では使い捨て可能（ｄｉｓｐｏｓａｂｌｅ）であってもよい。該シーピーアールセンサー３００は又、該シーピーアールセンサー３００が患者又はマネキン上の位置に１時的に留まるよう、該シーピーアールセンサー３００の後部外面上に配置された接着剤層と該接着剤層をカバーする除去可能な保護材料のシートと、を有してもよい。【００２８】  今、図４を参照すると、本発明の第３実施例のシーピーアールセンサー４００の組立分解図が示されている。該シーピーアールセンサー４００は上部保護層４０２、下部保護層４０４，薄く、実質的に平坦で柔軟な基盤４０６及びエネルギー発生層４０８（例えば、ピエゾ電気フイルム層又は圧縮時エネルギーハーベスティング用の他の手段）を有する。該基盤４０６はどんな形状（例えば、長方形、円形、多角形、装飾的な不規則形）であってもよく、ポリマー、金属フイルム又は他の適当な材料で作られる。該薄く、実質的に平坦で柔軟な基盤４０６とエネルギー発生層４０８は共に、該上部保護層４０２と下部保護層４０４の間に配置される。該上部保護層４０２と下部保護層４０４は半ば堅いプラスチックフイルムであるが、他の材料も又使われ得る。上部保護層は又、透明又は半透明材料で作られてもよい。もし該上部保護層４０２が透明でないなら、上部保護層４０２は該出力インターフエース４１８上に配向された開口部又は窓４２４を有するだろう。該エネルギー発生層４０８は印加された機械的応力に応答して電圧を発生するピエゾ電気フイルム又は他の手段でもよい。使用時、層４０８は圧縮され、電圧を発生し始め、該電圧は層４０６内の収集手段４１６に印加される。該最初の圧縮は可視信号を発生するのに充分な程高い電圧へ導かぬが，短時間後、該電圧は充分なレベルに達し、フィードバックが提供される。【００２９】  加えて、１つ以上のセンサー配列（６つの力センサー４１０と１つの圧迫深さセンサー４１２）、シグナルプロセサー（ｓｉｇｎａｌ  ｐｒｏｃｅｓｓｏｒ）４１４，電源４１６（エネルギー収集器と発生手段）及び出力インターフエース４１８（例えば、発光ダイオード、液晶デイスプレー又は当業者に公知の他の視覚的デイスプレー）が該柔軟な基盤４０６上に配置されるか、又はそれに取り付けられる。該１つ以上のセンサー配列４１０と４１２は圧迫深さ、圧迫力、圧迫周波数及び／又は圧迫加速度を測定し、典型的にはエムイーエムエス（ＭＥＭＳ）｛マイクロ−エレクトロ−メカニカルシステム（Ｍｉｃｒｏ−Ｅｌｅｃｔｒｏ−Ｍｅｃｈａｎｉｃａｌ  Ｓｙｓｔｅｍｓ）｝センサーとして実現される。該シグナルプロセサー４１４は該センサー配列４１０と４１２、出力インターフエース４１８及び電源４１６に接続される。該シグナルプロセサー４１４は、該測定された信号をしきい値（ｔｈｒｅｓｈｏｌｄ  ｖａｌｕｅｓ）と比較し、該比較の結果によるフィードバック信号を該出力インターフエース４１８へ提供する。この信号は種々の圧迫深さ及び／又は圧迫力に対応する光のシリーズの形式であってもよい。該柔軟な基盤４０６は又、他の層及び部品への接続用の種々のリード４２０と、エネルギー発生層４０８への接続部４２２を有する。該出力インターフエース４１８は圧迫深さ、力、速度、他の様なシーピーアールの動作に関する種々の変数を表示する。【００３０】  今、図５を参照すると、本発明の第３実施例のシーピーアールセンサー４００の断面図が示されている。該シーピーアールセンサー４００の実質的に平坦なボデイは４つの層をを備えるが、該層は上部保護層（ｕｐｐｅｒ  ｐｒｏｔｅｃｔｉｖｅ  ｌａｙｅｒ）４０２と下部保護層（ｌｏｗｅｒ  ｐｒｏｔｅｃｔｉｖｅ  ｌａｙｅｒ）４０４の間に配置された、薄く、実質的に平坦で柔軟な基盤４０６及びエネルギー発生層４０８を有する。該基盤４０６はどんな形状｛例えば、長方形、円形、多角形、装飾的な不規則形（ｉｒｒｅｇｕｌａｒ  ｓｈａｐｅ  ｔｈａｔ  ｉｓ  ｄｅｃｏｒａｔｉｖｅ）｝であってもよく、ポリマー、金属フイルム又は他の適当な材料で作られる。この実施例の該平坦なボデイ４００は約１．２５ｍｍの厚さを有する。層数を３つに減じるために該中層４０６及び４０８を組み合わせることは可能であることを注意すべきである。【００３１】  今、図６Ａ及び６Ｂを参照すると、本発明の第４実施例のシーピーアールセンサー６００のそれぞれ平面図及び底面図が示されている。この実施例では、該フィードバックデバイス６００は、クレディットカード（ｃｒｅｄｉｔ  ｃａｒｄ）、デビットカード（ｄｅｂｉｔ  ｃａｒｄ）、会員カード（ｍｅｍｂｅｒｓｈｉｐ  ｃａｒｄ）、運転免許証（ｄｒｉｖｉｎｇ  ｌｉｃｅｎｓｅ）の様なカードの普通の機能を保持しながら、面積と厚さの双方で、この様なカードとして形作られる。図６Ａは出力インターフエース用の開口部又は窓４０８と書かれた情報を有するカード（ｃａｒｄ  ｗｉｔｈ  ｗｒｉｔｔｅｎ  ｉｎｆｏｒｍａｔｉｏｎ）６０２を提供する可能性とを図解する。補足的特徴として、該フィードバックデバイス６００は磁気ストリップ（ｍａｇｎｅｔｉｃ  ｓｔｒｉｐ）６０４を装備することが出来るが、該ストリップは情報の記憶、そして適当なデバイス、及び従来のクレディットカードに共通な他の情報保持デバイス（ｉｎｆｏｒｍａｔｉｏｎ  ｂｅａｒｉｎｇ  ｄｅｖｉｃｅｓ）との情報の交換、を可能にするので、それは従来のクレディットカードとしても機能することが出来る。シグナルプロセサ���４１４が従来のスマートカードの処理ユニットとすることが出来ることを注意しておく。【００３２】  今、図７を参照すると、本発明の第４実施例のシーピーアールセンサー６００に対する手７０２の最適位置が示される。手７０２はその中央線が該デバイス６００の縁７０４を横切るよう位置付けられる。該デバイス上での手の正しい配置の情報は該デバイス６００上のテキスト（ｔｅｘｔ）及び／又は図として利用可能である。【００３３】  今、図８を参照すると、本発明の第４実施例の、患者の身体８００に対する手７０２及びシーピーアールセンサー６００の最適位置が示される。使用時、該デバイス６００は｛患者の身体８００上の手７０２の正しい位置付けをマークするために、その縁を線Ａ（乳首の線）上に置くよう｝患者の胸部上に置かれ、胸部圧迫は該胸部上で該フィードバックデバイス６００を通して行われる。該患者の胸部上の該デバイス６００の正しい配置の情報は又、該デバイス６００上のテキスト及び／又は図面として入手可能であってもよい。本発明はシーピーアール実行時、手７０２の正しい位置付けを保証する簡単な方法を提供する。同時に、デイスプレーデバイス６００はシーピーアールに関係する他のパラメーターについてフィードバックを与える。【００３４】  今、図９を参照すると、本発明の１実施例のシーピーアールセンサー３００と通信するシステム９００のブロック線図が示される。シーピーアールセンサー３００は、該シーピーアールセンサー３００の位置が決定されるよう、ジーピーエス衛星９０２からの信号を内部ジーピーエス受信器（ｉｎｔｅｒｎａｌ  ＧＰＳ  ｒｅｃｅｉｖｅｒ）（地理的ロケーター）経由で受信する。この情報は、シーピーアールセンサー３００及び該シーピーアール患者（受け手）のステイタスに関する他の望ましい情報と一緒に、内部通信インターフエースを使って、通信ネットワークを経由して遠隔の医療サービス提供者９０４へ（連続的又は周期的に）送信される。該医療サービス提供者９０４は医者、９１１オペレーター（ｄｏｃｔｏｒ，  ９１１  ｏｐｅｒａｔｏｒ）、緊急医療技士（ｅｍｅｒｇｅｎｃｙ  ｍｅｄｉｃａｌ  ｔｅｃｈｎｉｃｉａｎ）、救急車、病院、クリニック、他であってもよい。該通信ネットワーク９０６はどんな種類の無線通信ネットワーク又は無線及び地上通信線（ｌａｎｄｌｉｎｅ）ネットワークの組み合わせでもよい。【００３５】  今、図１０を参照すると、本発明のシーピーアールセンサーを作る製造プロセス１０００のフローチャートが示されている。シーピーアールセンサーを製造する方法１０００は下記の過程、すなわち、シリコンウエーハ（ｓｉｌｉｃｏｎ  ｗａｆｅｒ）をパッシベート（ｐａｓｓｉｖａｔｅ）する過程１００２、該ウエーハにポリイミド層（ｐｌｙｉｍｉｄｅ  ｌａｙｅｒ）を付加する過程１００４，エムイーエムエス（ＭＥＭＳ）プロセスを使って１つ以上のセンサー配列を創る過程であるが、該センサー配列（複数を含む）が圧迫深さ、圧迫力、圧迫周波数及び／又は圧迫加速度を測定するよう、該配列を創る過程１００６，個別ダイ（ｉｎｄｉｖｉｄｕａｌ  ｄｉｅｓ）／センサー（ｓｅｎｓｏｒ）を抽出（ｅｘｔｒａｃｔ）するため該ウエーハをダイス（ｄｉｃｅ��する過程１００８，柔軟な基盤上に回路をプリントする過程１０１０，該個別ダイ／センサーを受け、取り付けるために該柔軟な基盤にペースト（ｐａｓｔｅ）又はエポキシ（ｅｐｏｘｙ）を付ける過程１０１２，該個別ダイ／センサーを該柔軟な基盤上に置く過程１０１４，電気的相互接続部（ｅｌｅｃｔｒｉｃａｌ  ｉｎｔｅｒｃｏｎｎｅｃｔｓ）と出力インターフエース、プロセサー又はアナログ回路及び電源とを有する下部保護層上に該柔軟な基盤を置く過程１０１６、該柔軟な基盤を該下部保護層に取り付ける過程１０１８，該シーピーアールセンサーの組立を完了するために該柔軟な基盤及び該下部保護層に上部保護層を置き、取り付ける過程１０２０，そして該シーピーアールセンサーをテストする過程１０２２、を有する。【００３６】  情報及び信号は種々の異なる技術とテクニック（ｔｅｃｈｎｏｌｏｇｉｅｓ  ａｎｄ  ｔｅｃｈｎｉｑｕｅｓ）｛例えば、データ、インストラクション（ｉｎｓｔｒｕｃｔｉｏｎｓ）、コマンド（ｃｏｍｍａｎｄｓ）、情報、信号、ビット（ｂｉｔｓ）、象徴（ｓｙｍｂｏｌｓ）及びチップ（ｃｈｉｐ）は電圧、電流、電磁波、磁気的な場又は粒子、光学的な場又は粒子、又はそれらの何等かの組み合わせにより表されてもよい｝のいずれかを使って表されることは当業者には理解されるであろう。同様に、ここで説明される種々の図解される論理的ブロック、モジュール、回路、及びアルゴリズムの過程は、応用と機能に依って、電子的ハードウエア、コンピュータソフトウエア、又は両者の組み合わせとして実現されてもよい。更に、ここで説明される種々の論理的ブロック、モジュール、及び回路は、汎用プロセサー（ｇｅｎｅｒａｌ  ｐｕｒｐｏｓｅ  ｐｒｏｃｅｓｓｏｒ）｛例えば、マイクロプロセサー、従来のプロセサー、制御器、マイクロコントローラー、状態機械（ｓｔａｔｅ  ｍａｃｈｉｎｅ）又は計算デバイスの組み合わせ｝、デジタルシグナルプロセサー（ｄｅｇｉｔａｌ  ｓｉｇｎａｌ  ｐｒｏｃｅｓｓｏｒ）｛”デーエスピー（ＤＳＰ）”｝、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ）｛”エイシック（ＡＳＩＣ）”｝、フィールドプログラマブルゲートアレイ（ｆｉｅｌｄ  ｐｒｏｇｒａｍｍａｂｌｅ  ｇａｔｅ  ａｒｒａｙ）｛”エフピージーエイ（ＦＰＧＡ）”｝、又は他のプログラマブルロジックデバイス（ｐｒｏｇｒａｍｍａｂｌｅ  ｌｏｇｉｃ  ｄｅｖｉｃｅ）、個別ゲート又はトランジスターロジック（ｄｉｓｃｒｅｔｅ  ｇａｔｅ  ｏｒ  ｔｒａｎｇｉｓｔｅｒ  ｌｏｇｉｃ）、個別ハードウエア部品、又はここで説明した機能を行うよう設計されたそれらの何等かの組み合わせ、で実現又は実行されてもよい。同様に、ここで説明される方法又はプロセスの過程は、純粋にアナログの回路を含むハードウエアで、又はプロセサーで実行されるソフトウエアモジュールで、又は該２つの組み合わせで、直接具体化されてもよい。ソフトウエアモジュールはＲＡＭメモリー、フラッシュメモリー、ＲＯＭメモリー、ＥＰＲＯＭメモリー、ＥＥＰＲＯＭメモリー、レジスター（ｒｅｇｉｓｔｅｒｓ）、ハードディスク、交換可能ディスク（ｒｅｍｏｖａｂｌｅ  ｄｉｓｋ）、ＣＤ−ＲＯＭ、又は当該技術で公知の他の何等かの形の記憶媒体内に定在してもよい。本発明の好ましい実施例が詳細に説明されたが、種々の変型が、附属する請求項で表明される本発明の精神と範囲から離れることなく行われ得ることは当業者には理解されるであろう。
【図面の簡単な説明】
【００３７】  本発明の上記及び更に進んだ利点は、附属する図面と連携した付記説明を参照することにより更に良く理解される。【図１】本発明の第１実施例のシーピーアールセンサーのブロック線図である。
【図２】本発明の１実施例の１つ以上の圧迫特性を測定するセンサー配列のブロック線図である。
【図３】本発明の第２実施例のシーピーアールセンサーのブロック線図である。
【図４】本発明の第３実施例のシーピーアールセンサーの組立分解図である。
【図５】本発明の第３実施例のシーピーアールセンサーの断面図である。
【図６Ａ】〜
【図６Ｂ】本発明の第４実施例のシーピーアールセンサーのそれぞれ平面図及び底面図である。
【図７】本発明の第４実施例のシーピーアールセンサーに対する手の最適位置を図解する。
【図８】本発明の第４実施例の患者の身体に対する手及びシーピーアールセンサーの最適位置を図解する。
【図９】本発明の１実施例のシーピーアールセンサーと通信するシステムのブロック線図である。
【図１０】本発明のシーピーアールセンサーを作る製造過程のフローチャートである。
【符号の説明】
【００３８】          １００  シーピーアールセンサー          １０２  基盤          １０４  センサー配列          １０６  電源          １０８  出力インターフエース          ２００  加速度計          ２０２  圧力センサー          ３００  シーピーアールセンサー          ３０２  センサー配列          ３０４  プロセサー又はアナログ回路          ３０６  通信インターフエース          ３０８  地理的ロケーター          ３１０  データ記憶装置          ４００  シーピーアールセンサー          ４０２  上部保護層          ４０４  下部保護層          ４０６  基盤          ４０８  エネルギー発生層          ４１０  力センサー          ４１２  圧迫深さセンサー          ４１４  シグナルプロセサー          ４１６  収集手段又は電源          ４１８  出力インターフエース          ４２０  リード          ４２２  接続部          ４２４  開口部又は窓          ６００  シーピーアールセンサー          ６０２  カード          ７０２  手          ７０４  縁          ８００  身体          ９００  システム          ９０２  ジーピーエス衛星          ９０４  医療サービス提供者          ９０６  通信ネットワーク          ９１１  医者          １０００  シーピーアールの製造過程          Ａ  乳首の線
【図１】
2008307362.tif 000003
【図２】
2008307362.tif 000004
【図３】
2008307362.tif 000005
【図４】
2008307362.tif 000006
【図５】
2008307362.tif 000007
【図６Ａ】
2008307362.tif 000008
【図６Ｂ】
2008307362.tif 000009
【図７】
2008307362.tif 000010
【図９】
2008307362.tif 000011
【図１０】
2008307362.tif 000012
【図８】
2008307362.tif 000013